(57)【要約】【課題】建物の区画の光熱費の増減に基づいて光熱費の差額の配分率を決定することができる差額配分装置、差額配分方法及び差額配分プログラムを提供することである。【解決手段】実施形態の差額配分装置は、区画電力量推定部と全体電力量推定部と光熱費決定部と配分率決定部とを持つ。区画電力量推定部は、建物の区画における電力量の推定値を定める。全体電力量推定部は、建物の全体における電力量の推定値を定める。光熱費決定部は、建物の区画における光熱費の推定値を決定し、建物の全体における光熱費の推定値を決定し、建物の区画における光熱費の推定値と建物の区画における光熱費の実績値との差額である区画差額を決定し、建物の全体における光熱費の推定値と建物の全体における光熱費の実績値との差額である全体差額を決定する。配分率決定部は、区画差額に基づいて、全体差額の少なくとも一部を配分するための配分率を区画ごとに決定する。【選択図】図１
2017102572.tif 000002
【特許請求の範囲】
【請求項１】
建物の区画における電力量の推定値を定める区画電力量推定部と、
前記建物の区画における電力量の推定値に基づいて前記建物の全体における電力量の推定値を定める全体電力量推定部と、
前記建物の区画における電力量の推定値に基づいて前記建物の区画における光熱費の推定値を決定し、前記建物の全体における電力量の推定値に基づいて前記建物の全体における光熱費の推定値を決定し、前記建物の区画における光熱費の推定値と前記建物の区画における光熱費の実績値との差額である区画差額を決定し、前記建物の全体における光熱費の推定値と前記建物の全体における光熱費の実績値との差額である全体差額を決定する光熱費決定部と、
前記区画差額に基づいて、前記全体差額の少なくとも一部を配分するための配分率を前記区画ごとに決定する配分率決定部と、
を備える差額配分装置。
【請求項２】
前記光熱費決定部は、異なる前記区画の間を逆潮流した電力量と、電力量が逆潮流した時刻に対応付けられた電気料金とに基づいて、前記建物の区画における光熱費の実績値を決定する、請求項１に記載の差額配分装置。
【請求項３】
前記区画電力量推定部は、前記建物の全体における受電電力量又は前記建物の区画における電力負荷量と、前記建物の区画における発電電力量とに基づいて、前記建物の区画における電力量の推定値を定める、請求項１に記載の差額配分装置。
【請求項４】
前記区画電力量推定部は、前記建物の区画において前記建物の区画ごとに独立した制御を実行した場合における発電装置の動作を模擬した結果に基づいて、前記建物の区画における電力量の推定値を定める、請求項１に記載の差額配分装置。
【請求項５】
建物の第１区画における電力量の推定値と、前記建物の第２区画における電力量の推定値とを定める区画電力量推定部と、
前記建物の第１区画における電力量の推定値に基づいて前記建物の第１区画における光熱費の推定値を決定し、前記建物の第２区画における電力量の推定値に基づいて前記建物の第２区画における光熱費の推定値を決定し、前記建物の第１区画における光熱費の推定値と前記建物の第１区画における光熱費の実績値との差額である第１区画差額を決定し、前記建物の第２区画における光熱費の推定値と前記建物の第２区画における光熱費の実績値との差額である第２区画差額を決定する光熱費決定部と、
前記第２区画差額に基づいて、前記第１区画差額の少なくとも一部を配分するための配分率を前記第２区画ごとに決定する配分率決定部と、
を備える差額配分装置。
【請求項６】
配分率を決定する差額配分装置における差額配分方法であって、
建物の区画における電力量の推定値を定めるステップと、
前記建物の区画における電力量の推定値に基づいて前記建物の全体における電力量の推定値を定めるステップと、
前記建物の区画における電力量の推定値に基づいて前記建物の区画における光熱費の推定値を決定し、前記建物の全体における電力量の推定値に基づいて前記建物の全体における光熱費の推定値を決定し、前記建物の区画における光熱費の推定値と前記建物の区画における光熱費の実績値との差額である区画差額を決定し、前記建物の全体における光熱費の推定値と前記建物の全体における光熱費の実績値との差額である全体差額を決定するステップと、
前記区画差額に基づいて、前記全体差額の少なくとも一部を配分するための配分率を前記区画ごとに決定するステップと、
を含む差額配分方法。
【請求項７】
コンピュータに、
建物の区画における電力量の推定値を定める手順と、
前記建物の区画における電力量の推定値に基づいて前記建物の全体における電力量の推定値を定める手順と、
前記建物の区画における電力量の推定値に基づいて前記建物の区画における光熱費の推定値を決定し、前記建物の全体における電力量の推定値に基づいて前記建物の全体における光熱費の推定値を決定し、前記建物の区画における光熱費の推定値と前記建物の区画における光熱費の実績値との差額である区画差額を決定し、前記建物の全体における光熱費の推定値と前記建物の全体における光熱費の実績値との差額である全体差額を決定する手順と、
前記区画差額に基づいて、前記全体差額の少なくとも一部を配分するための配分率を前記区画ごとに決定する手順と、
を実行させるための差額配分プログラム。
【発明の詳細な説明】
【技術分野】
【０００１】
本発明の実施形態は、差額配分装置、差額配分方法及び差額配分プログラムに関する。
【背景技術】
【０００２】
集合住宅の住戸区画に備えられたＨＥＭＳ（Home Energy Management System）装置は、住戸区画に備えられた発電装置又は蓄電装置を制御することによって、集合住宅の全体に対して定められた発電計画に協力することがある。集合住宅の管理者は、発電計画を実行したことによって得られた光熱費の差額（削減額）を、発電計画に協力した各住戸区画に配分する場合がある。しかしながら、発電計画に協力した各住戸区画に配分される差額の配分率は、各住戸区画の光熱費の増減に関係なく決定される場合があった。
【先行技術文献】
【特許文献】
【０００３】
【特許文献１】特開２０１５−６１４３７号公報
【発明の概要】
【発明が解決しようとする課題】
【０００４】
本発明が解決しようとする課題は、建物の区画の光熱費の増減に基づいて光熱費の差額の配分率を決定することができる差額配分装置、差額配分方法及び差額配分プログラムを提供することである。
【課題を解決するための手段】
【０００５】
実施形態の差額配分装置は、区画電力量推定部と、全体電力量推定部と、光熱費決定部と、配分率決定部とを持つ。区画電力量推定部は、建物の区画における電力量の推定値を定める。全体電力量推定部は、建物の区画における電力量の推定値に基づいて建物の全体における電力量の推定値を定める。光熱費決定部は、建物の区画における電力量の推定値に基づいて建物の区画における光熱費の推定値を決定し、建物の全体における電力量の推定値に基づいて建物の全体における光熱費の推定値を決定し、建物の区画における光熱費の推定値と建物の区画における光熱費の実績値との差額である区画差額を決定し、建物の全体における光熱費の推定値と建物の全体における光熱費の実績値との差額である全体差額を決定する。配分率決定部は、区画差額に基づいて、全体差額の少なくとも一部を配分するための配分率を区画ごとに決定する。
【図面の簡単な説明】
【０００６】
【図１】実施形態における、差額配分システムの構成の第１例を示す図。
【図２】実施形態における、電力量の実績値及び推定値の例を示す図。
【図３】実施形態における、光熱費の推定値の例を示す図。
【図４】実施形態における、光熱費の実績値の例を示す図。
【図５】実施形態における、第２区画における電力量の推定値を定める動作の例を示すフローチャート。
【図６】実施形態における、建物の全体における電力量の推定値を定める動作の例を示すフローチャート。
【図７】実施形態における、配分率を決定する動作の例を示すフローチャート。
【図８】実施形態における、差額配分システムの構成の第２例を示す図。
【図９】実施形態における、差額配分システムの構成の第３例を示す図。
【図１０】実施形態における、差額配分システムの構成の第４例を示す図。
【図１１】実施形態における、差額配分システムの構成の第５例を示す図。
【発明を実施するための形態】
【０００７】
以下、実施形態の差額配分装置、差額配分方法及び差額配分プログラムを、図面を参照して説明する。
（第１の実施形態）
図１は、差額配分システム１ａの構成の第１例を示す図である。差額配分システム１ａは、光熱費の差額（削減額）の配分率（還元率）を決定するシステムである。光熱費の差額は、金額でもよいし、サービスを受けるためのポイント数でもよい。差額配分システム１ａは、建物２ａにおける複数の区画に配分される差額の配分率を、住戸区画等における光熱費の増減に基づいて区画ごとに決定する。差額配分システム１ａは、第１制御装置３と、差額配分装置４ａと、情報処理装置５とを備える。
【０００８】
建物２ａは、例えば、マンション棟やアパートメント棟などの集合住宅、オフィスビル、商用ビル、工場の建屋である。建物２ａは、複数の建物が共有する内部電力線２２を介して商用電力系統６から一括受電する建物群（区域）でもよい。
【０００９】
建物２ａは、第１区画２０ａと、複数の第２区画２１ａと、内部電力線２２と、電力計測器２３とを備える。図１では、建物２ａは、一例として、第２区画２１ａ−１〜２１ａ−３を備える。以下、第２区画２１ａ−１〜２１ａ−３に共通する事項については、符号の一部を省略して「第２区画２１ａ」と表記する。建物２ａは、更に多くの第２区画２１ａを備えてもよい。建物２ａは、第１制御装置３を第１区画２０ａに備えてもよい。建物２ａは、差額配分装置４ａを第１区画２０ａに備えてもよい。
【００１０】
第１区画２０ａは、共用区画である。共用区画は、例えば、建物２ａにおける共用の玄関、共用の廊下、共用の階段、共用の倉庫である。第１区画２０ａ（共用区画）は、第１区画電力負荷２００と、第１区画蓄電装置２０１とを備える。
【００１１】
第１区画電力負荷２００は、第１区画２０ａにおける電力負荷である。第１区画電力負荷２００は、例えば、照明機器、空調機器、昇降機である。照明機器は、例えば、外灯である。第１区画電力負荷２００は、第１区画電力負荷２００の電力負荷量の実績値を、差額配分装置４ａに送信してもよい。第１区画電力負荷２００は、第１区画電力負荷２００の電力負荷量の実績値を、第１区画蓄電装置２０１を介して差額配分装置４ａに送信してもよい。
【００１２】
以下、発電計画は、例えば、建物２ａの全体の評価指標が最小になるように定められた発電装置及び蓄電装置の運転計画である。評価指標は、例えば、一次エネルギの消費量である。一次エネルギの消費量は、例えば、受電電力量やガス購入量である。
【００１３】
第１区画蓄電装置２０１は、第１区画２０ａにおける蓄電装置である。第１区画蓄電装置２０１の動作モードには、独立制御動作モードと、従属制御動作モードとがある。第１区画蓄電装置２０１は、建物２ａの全体に対して定められた発電計画を第１区画蓄電装置２０１が実行しない場合、独立制御動作モードで動作する。第１区画蓄電装置２０１は、独立制御動作モードで動作する場合、第１区画蓄電装置２０１による制御（独立制御）に基づいて動作する。
【００１４】
第１区画蓄電装置２０１は、建物２ａの全体に対して定められた発電計画の少なくとも一部を第１区画蓄電装置２０１が実行する場合には、従属制御動作モードで動作する。第１区画蓄電装置２０１は、従属制御動作モードで動作する場合、第１制御装置３による制御（従属制御）に基づいて動作する。
【００１５】
第１区画蓄電装置２０１は、第２区画２１ａから内部電力線２２を介して受電し、受電電力を蓄積してもよい。第１区画蓄電装置２０１は、第２区画２１ａから第１区画２０ａに向かう電流を電力計測器２３が計測した場合、計測された電流に応じた電力を蓄積する。これによって、第１区画蓄電装置２０１は、建物２ａの全体における余剰電力（総余剰電力）を蓄積することができる。建物２ａの全体における余剰電力は、第２区画２１ａ−１〜２１ａ−３における余剰電力の合計から、第２区画２１ａ−１〜２１ａ−３における不足電力と第１区画電力負荷２００の消費電力（電力負荷）との合計値を差し引いた結果と等しい。
【００１６】
第１区画蓄電装置２０１は、商用電力系統６から内部電力線２２を介して受電し、受電電力を蓄積してもよい。第１区画蓄電装置２０１は、第１区画２０ａから第２区画２１ａに向かう電流を電力計測器２３が計測した場合、計測された電流に応じた電力を内部電力線２２に放電する。これによって、第１区画蓄電装置２０１は、建物２ａの全体における不足電力（総不足電力）を補うことができる。建物２ａの全体における不足電力は、第２区画２１ａ−１〜２１ａ−３における不足電力と第１区画電力負荷２００の消費電力（電力負荷）との合計から、第２区画２１ａ−１〜２１ａ−３における余剰電力の合計値を差し引いた結果と等しい。
【００１７】
なお、第１区画蓄電装置２０１は、電力計測器２３を備えてもよい。第１区画蓄電装置２０１は、電力計測器２３を備える場合、第１区画蓄電装置２０１の電力計測器２３が計測した電力に基づいて蓄電又は放電を実行する。
【００１８】
第１区画蓄電装置２０１は、第１区画蓄電装置２０１の受電電力量の実績値を、差額配分装置４ａに送信する。第１区画蓄電装置２０１は、第１区画蓄電装置２０１の蓄電量の実績値を、差額配分装置４ａに送信してもよい。第１区画蓄電装置２０１は、第１区画電力負荷２００の電力負荷量の実績値を、差額配分装置４ａに送信してもよい。
【００１９】
第２区画２１ａは、占用区画である。第２区画２１ａは、建物２ａが集合住宅である場合、例えば、住戸区画である。第２区画２１ａは、建物２ａがオフィスビルである場合、例えば、執務室である。第２区画２１ａは、建物２ａが商用ビルである場合、例えば、商用区画（店舗）である。第２区画２１ａは、建物２ａが工場の建屋である場合、例えば、機械室である。第２区画２１ａ（占用区画）は、第２区画給湯負荷２１０と、第２区画電力負荷２１１と、第２区画発電装置２１２と、第２制御装置２１３と、第２区画電力計測器２１４とを備える。
【００２０】
第２区画給湯負荷２１０は、第２区画発電装置２１２がコージェネレーションシステムである場合、湯などの熱媒体を第２区画発電装置から取得する。第２区画給湯負荷２１０は、湯などの熱媒体を消費する。第２区画給湯負荷２１０は、例えば、給湯設備、床暖房設備である。
【００２１】
第２区画電力負荷２１１は、商用電力系統６から内部電力線２２を介して電力を取得する。第２区画電力負荷２１１は、第２区画発電装置２１２から電力を取得してもよい。第２区画電力負荷２１１は、取得した電力（受電電力）を消費する。第２区画電力負荷２１１は、例えば、照明機器、空調機器、映像機器、調理機器である。
【００２２】
第２区画発電装置２１２は、発電した電力を、第２区画電力負荷２１１に供給する。第２区画発電装置２１２は、発電した電力を、内部電力線２２に逆潮流させてもよい。内部電力線２２に逆潮流した電力は、第１区画２０ａの第１区画電力負荷２００又は第１区画蓄電装置２０１に供給される。内部電力線２２に逆潮流した電力は、他の第２区画２１ａに供給されてもよい。
【００２３】
第２区画発電装置２１２は、太陽光発電装置である場合、太陽光を電気に変換することによって発電する。第２区画発電装置２１２は、燃料電池を有するコージェネレーションシステムである場合、ガス等を燃焼することによって発電する。第２区画発電装置２１２は、コージェネレーションシステムである場合、湯などの熱媒体を第２区画給湯負荷２１０に供給する。
【００２４】
第２区画発電装置２１２の動作モードには、独立制御動作モードと、従属制御動作モードとがある。第２区画発電装置２１２は、建物２ａの全体に対して定められた発電計画を第２区画発電装置２１２及び第２制御装置２１３が実行しない場合、独立制御動作モードで動作する。第２区画発電装置２１２は、独立制御動作モードで動作する場合、第２制御装置２１３による制御（独立制御）に基づいて動作する。第２区画発電装置２１２は、独立制御動作モードで動作する場合、内部電力線２２に電力を逆潮流させること（内部逆潮流）を禁止する。
【００２５】
第２区画発電装置２１２は、独立制御動作モードで動作する場合、第２区画２１ａにおける第２区画電力負荷２１１の消費電力量（電力負荷量）又は第２区画給湯負荷２１０の消費熱量に応じて発電する。例えば、第２区画発電装置２１２は、第２区画発電装置２１２の定格出力以下で、第２区画発電装置２１２の発電電力が第２区画電力負荷２１１の消費電力に追従するように発電する。
【００２６】
第２区画発電装置２１２は、建物２ａの全体に対して定められた発電計画の少なくとも一部を第２区画発電装置２１２及び第２制御装置２１３が実行する場合には、従属制御動作モードで動作する。第２区画発電装置２１２は、従属制御動作モードで動作する場合、第１制御装置３から受信した制御信号に基づく第２制御装置２１３による制御（従属制御）に応じて動作する。第２区画発電装置２１２は、従属制御動作モードで動作する場合、内部電力線２２に電力を逆潮流させること（内部逆潮流）を許可する。
【００２７】
第２区画発電装置２１２は、従属制御動作モードで動作する場合、第２区画電力負荷２１１の消費電力に関係なく定格出力で発電してもよい。同じ第２区画２１ａにおいて、第２区画発電装置２１２の発電電力から第２区画電力負荷２１１の消費電力を減算した残りである余剰電力は、第２区画発電装置２１２から内部電力線２２に逆潮流する。
【００２８】
第２制御装置２１３は、第２区画２１ａにおける制御装置である。例えば、第２制御装置２１３は、ＥＭＳ（Energy Management System）装置である。第２制御装置２１３は、建物２ａが集合住宅である場合、例えば、ＨＥＭＳ装置である。第２制御装置２１３は、建物２ａがオフィスビル又は商用ビルである場合、例えば、ＢＥＭＳ（Building Energy Management System）装置である。第２制御装置２１３は、建物２ａが工場の建屋である場合、例えば、ＦＥＭＳ（Factory Energy Management System）装置である。
【００２９】
第２制御装置２１３は、第２制御装置２１３が属する第２区画２１ａに備えられた各装置を制御する。第２制御装置２１３の動作モードには、独立制御動作モードと、従属制御動作モードとがある。第２制御装置２１３は、建物２ａの全体に対して定められた発電計画を実行しない場合、独立制御動作モードで動作する。第２制御装置２１３は、独立制御動作モードで動作する場合、第２制御装置２１３による制御（独立制御）によって、第２区画発電装置２１２を動作させる。第２制御装置２１３は、独立制御動作モードで動作する場合、第２制御装置２１３による制御によって、第２区画電力負荷２１１を動作させてもよい。
【００３０】
第２制御装置２１３は、建物２ａの全体に対して定められた発電計画の少なくとも一部を実行する場合には、従属制御動作モードで動作する。第２制御装置２１３は、従属制御動作モードで動作する場合、第１制御装置３から制御信号を取得する。第２制御装置２１３は、従属制御動作モードで動作する場合、第１制御装置３による制御（従属制御）に基づいて、第２区画発電装置２１２を動作させる。第２制御装置２１３は、従属制御動作モードで動作する場合、第１制御装置３による制御（従属制御）に基づいて、第２区画電力負荷２１１を動作させてもよい。
【００３１】
第２制御装置２１３は、第２区画発電装置２１２の発電電力量を示す情報を、第２区画発電装置２１２から取得する。第２制御装置２１３は、貯湯残量を示す情報を、第２区画発電装置２１２から取得する。貯湯残量は、電力量に換算されてもよい。第２制御装置２１３は、第２区画給湯負荷２１０の給湯負荷量を示す情報を、第２区画発電装置２１２から取得する。第２制御装置２１３は、第２区画電力負荷２１１の消費電力量を示す情報を、第２区画電力計測器２１４から取得する。
【００３２】
第２制御装置２１３は、第２区画発電装置２１２の発電電力量を示す情報を、差額配分装置４ａに送信する。第２制御装置２１３は、第２区画電力負荷２１１の消費電力量（電力負荷量）を示す情報を、差額配分装置４ａに送信する。第２制御装置２１３は、貯湯残量を示す情報を、差額配分装置４ａに送信する。第２制御装置２１３は、第２区画給湯負荷２１０の給湯負荷量を示す情報を、差額配分装置４ａに送信してもよい。
【００３３】
第２区画電力計測器２１４は、第２区画電力負荷２１１の消費電力量（電力負荷量）を計測する。第２区画電力計測器２１４は、第２区画電力負荷２１１の消費電力量を示す情報を、第２制御装置２１３に送信する。第２区画電力計測器２１４は、第２区画２１ａごとに電気料金を課金するための課金用メータを備えてもよい。第２区画電力負荷２１１の消費電力量を示す情報は、電気料金情報を含んでいてもよい。電気料金情報は、時刻情報に対応付けられていてもよい。
【００３４】
内部電力線２２は、電力ケーブルである。内部電力線２２は、建物２ａの内部や外壁に配設される。内部電力線２２は、商用電力系統６から受電した電力を、第１区画２０ａと第２区画２１ａとに供給する。
【００３５】
電力計測器２３は、電力量を計測する機器である。電力計測器２３は、建物２ａの全体における受電電力量を計測する。すなわち、電力計測器２３は、内部電力線２２を通流する電力の電気物理量を計測する。電気物理量は、例えば、電圧値、電流値である。電力計測器２３は、内部電力線２２を通流する電力の電気物理量の変化を計測してもよい。例えば、電力計測器２３は、内部電力線２２を通流する電力が供給される向きを計測してもよい。電力が供給される向きとは、例えば、第１区画２０ａから第２区画２１ａへの向き、第２区画２１ａから第１区画２０ａへの向きである。
【００３６】
電力計測器２３は、第１区画２０ａにおける受電電力量を計測してもよい。電力計測器２３は、第２区画２１ａごとに電力量を計測してもよい。すなわち、電力計測器２３は、第２区画２１ａにおける受電電力量を計測してもよい。また、電力計測器２３は、第２区画２１ａから放電された電力量を計測してもよい。電力計測器２３は、計測した結果を、第１制御装置３及び差額配分装置４ａに送信する。
【００３７】
第１制御装置３は、サーバ装置等の情報処理装置である。第１制御装置３（発電計画システム）は、建物２ａの全体におけるエネルギーを、差額配分装置４とは独立に管理する。例えば、第１制御装置３は、建物２ａの全体における発電計画を、第１区画蓄電装置２０１及び第２制御装置２１３に実行させる。建物２ａの全体における発電計画は、第２区画発電装置２１２の発電計画と、第１区画蓄電装置２０１の放電計画及び蓄電計画とを含む。第２区画発電装置２１２の発電計画は、第２区画発電装置２１２が独立制御動作モード又は従属制御動作モードのいずれで動作するかを時刻ごとに定める情報を含んでもよい。
【００３８】
差額配分装置４ａは、サーバ装置等の情報処理装置である。差額配分装置４ａは、第１区画蓄電装置２０１及び第２制御装置２１３と通信する。差額配分装置４ａは、第１区画蓄電装置２０１及び第２制御装置２１３が実行した発電計画によって建物２ａの全体が得た光熱費の差額（削減額）の配分率を、第２区画２１ａごとに定める。差額配分装置４ａは、第１区画蓄電装置２０１及び第２制御装置２１３が実行した発電計画による第１区画２０ａの光熱費の差額（削減額）の配分率を、第２区画２１ａごとに定めてもよい。差額配分装置４ａは、第１区画蓄電装置２０１及び第２制御装置２１３から取得した情報に基づいて、光熱費の差額の配分率を第２区画２１ａごとに定める。差額配分装置４ａは、光熱費の差額の配分率に基づいて、第２区画２１ａごとに対応付けられた口座に金銭等を振り込む。
【００３９】
差額配分装置４ａは、収集部４０と、区画電力量推定部４１と、全体電力量推定部４２と、データベース４３と、光熱費決定部４４と、配分率決定部４５と、配分部４６とを備える。収集部４０と、区画電力量推定部４１と、全体電力量推定部４２と、光熱費決定部４４と、配分率決定部４５との一部または全部は、例えば、ＣＰＵ（Central Processing Unit）等のプロセッサが、記憶部に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００４０】
収集部４０は、第１区画蓄電装置２０１の受電電力量の実績値を、第１区画蓄電装置２０１から取得する。収集部４０は、第１区画蓄電装置２０１の蓄電量の実績値を、第１区画蓄電装置２０１から取得してもよい。収集部４０は、第１区画電力負荷２００の電力負荷量の実績値を、第１区画蓄電装置２０１から取得してもよい。
【００４１】
収集部４０は、第１区画蓄電装置２０１の受電電力量の実績値を、データベース４３に記憶させる。収集部４０は、第１区画蓄電装置２０１の蓄電量の実績値と、第１区画電力負荷２００の電力負荷量の実績値とを、データベース４３に記憶させてもよい。
【００４２】
収集部４０は、第２区画発電装置２１２の発電電力量を示す情報を、第２制御装置２１３から取得する。収集部４０は、第２区画電力負荷２１１の消費電力量（電力負荷量）を示す情報を、第２制御装置２１３から取得する。収集部４０は、貯湯残量を示す情報を、第２制御装置２１３から取得する。収集部４０は、第２区画給湯負荷２１０の給湯負荷量を示す情報を、第２制御装置２１３から取得してもよい。
【００４３】
収集部４０は、第２区画発電装置２１２の発電電力量を示す情報と、第２区画電力負荷２１１の消費電力量（電力負荷量）を示す情報と、貯湯残量を示す情報とを、データベース４３に記憶させる。収集部４０は、第２区画給湯負荷２１０の給湯負荷量を示す情報を、データベース４３に記憶させてもよい。
【００４４】
区画電力量推定部４１は、第２区画２１ａにおける受電電力量の実績値と、第２区画２１ａにおけるガス購入量の実績値とを、第２区画２１ａごとにデータベース４３から取得する。例えば、区画電力量推定部４１は、第２区画２１ａにおける受電電力量の実績値と、第２区画２１ａにおけるガス購入量の実績値とを、時刻ごとに取得する。
【００４５】
区画電力量推定部４１は、第２制御装置２１３が仮に独立制御動作モードで動作した場合について、第２区画給湯負荷２１０と第２区画電力負荷２１１と第２区画発電装置２１２との動作を模擬（シミュレーション）する。例えば、区画電力量推定部４１は、第２区画２１ａにおける受電電力量の実績値と、第２区画２１ａにおけるガス購入量の実績値とに基づいて、第２区画給湯負荷２１０と第２区画電力負荷２１１と第２区画発電装置２１２との動作を模擬する。
【００４６】
区画電力量推定部４１は、第２区画給湯負荷２１０と第２区画電力負荷２１１と第２区画発電装置２１２との動作を模擬した結果に基づいて、第２区画２１ａにおける受電電力量の推定値を決定する。区画電力量推定部４１は、第２区画給湯負荷２１０と第２区画電力負荷２１１と第２区画発電装置２１２との動作を模擬した結果に基づいて、第２区画２１ａにおけるガス購入量の推定値を決定してもよい。区画電力量推定部４１は、模擬の結果に基づいて、第２区画２１ａにおける発電電力量及び消費電力量を推定する。
【００４７】
なお、区画電力量推定部４１は、第１区画電力負荷２００及び第１区画蓄電装置２０１の動作を模擬してもよい。区画電力量推定部４１は、模擬の結果に基づいて、第１区画２０ａにおける発電電力量及び消費電力量を推定してもよい。
【００４８】
区画電力量推定部４１は、第２制御装置２１３が仮に独立制御動作モードで動作した場合について、第２区画２１ａにおける受電電力量の推定値を、データベース４３に記憶させる。区画電力量推定部４１は、第２制御装置２１３が仮に独立制御動作モードで動作した場合について、第２区画２１ａにおけるガス購入量の推定値を、データベース４３に記憶させる。ガス購入量は、電力量に換算されてデータベース４３に記憶されてもよい。
【００４９】
全体電力量推定部４２は、第１区画２０ａにおける受電電力量の実績値を、データベース４３から取得する。例えば、全体電力量推定部４２は、第１区画２０ａにおける受電電力量の実績値を、時刻ごとに取得する。
【００５０】
全体電力量推定部４２は、第１区画蓄電装置２０１が仮に独立制御動作モードで動作した場合について、第１区画電力負荷２００及び第１区画蓄電装置２０１の動作を模擬（シミュレーション）する。例えば、全体電力量推定部４２は、第１区画２０ａにおける受電電力量の実績値に基づいて、第１区画電力負荷２００及び第１区画蓄電装置２０１の動作を模擬する。
【００５１】
全体電力量推定部４２は、第１区画電力負荷２００及び第１区画蓄電装置２０１の動作を模擬した結果に基づいて、第１区画２０ａにおける受電電力量の推定値を決定する。全体電力量推定部４２は、模擬の結果に基づいて、第１区画２０ａにおける蓄電量及び消費電力量を推定する。全体電力量推定部４２は、第１区画蓄電装置２０１が仮に独立制御動作モードで動作した場合について、第１区画２０ａにおける受電電力量の推定値を、データベース４３に記憶させる。
【００５２】
全体電力量推定部４２は、第１区画２０ａにおける受電電力量の推定値を、時刻ごとにデータベース４３から取得する。全体電力量推定部４２は、第２区画２１ａにおける受電電力量の推定値と、第２区画２１ａにおけるガス購入量の推定値とを、第２区画２１ａごとにデータベース４３から取得する。全体電力量推定部４２は、第２区画２１ａにおける受電電力量の推定値と、第２区画２１ａにおけるガス購入量の推定値とを、時刻ごとにデータベース４３から取得する。
【００５３】
全体電力量推定部４２は、第１区画蓄電装置２０１及び第２制御装置２１３が仮に独立制御動作モードで動作した場合について、第１区画電力負荷２００と第１区画蓄電装置２０１と第２区画給湯負荷２１０と第２区画電力負荷２１１と第２区画発電装置２１２との動作を模擬（シミュレーション）する。例えば、全体電力量推定部４２は、第２区画２１ａにおける受電電力量の推定値と、第２区画２１ａにおけるガス購入量の推定値とに基づいて、第１区画電力負荷２００と第１区画蓄電装置２０１と第２区画給湯負荷２１０と第２区画電力負荷２１１と第２区画発電装置２１２との動作を模擬する。
【００５４】
全体電力量推定部４２は、第１区画電力負荷２００と第１区画蓄電装置２０１と第２区画給湯負荷２１０と第２区画電力負荷２１１と第２区画発電装置２１２との動作を模擬した結果に基づいて、建物２ａの全体における受電電力量の推定値を決定する。全体電力量推定部４２は、第１区画蓄電装置２０１及び第２制御装置２１３が仮に独立制御動作モードで動作した場合について、建物２ａの全体における受電電力量の推定値を、データベース４３に記憶させる。
【００５５】
データベース４３は、磁気ハードディスク装置や半導体記憶装置等の不揮発性の記憶媒体（非一時的な記録媒体）を有する記憶装置を用いて構成される。データベース４３は、例えば、ＲＡＭ（Random Access Memory）やレジスタなどの揮発性の記憶媒体を有していてもよい。
【００５６】
図２は、電力量の実績値及び推定値の例を示す図である。電力量は、発電するために購入されたガスの量（ガス購入量）を用いて表現されてもよい。
【００５７】
データベース４３は、第１区画２０ａの受電電力量の実績値を、年月日及び時刻に対応付けて記憶する。データベース４３は、第１区画２０ａのガス購入量の実績値を、年月日及び時刻に対応付けて記憶する。データベース４３は、第２区画２１ａの受電電力量の実績値を、年月日及び時刻に対応付けて、第２区画２１ａごとに記憶する。データベース４３は、第２区画２１ａのガス購入量の実績値を、年月日及び時刻に対応付けて、第２区画２１ａごとに記憶する。
【００５８】
図２では、電力量の実績値は、図１に示す第１区画蓄電装置２０１及び第２制御装置２１３が従属制御動作モードで動作した場合における、電力量の実績値である。電力量の実績値は、収集部４０によって、電力計測器２３、第１区画電力負荷２００、第１区画蓄電装置２０１及び第２制御装置２１３から収集される。
【００５９】
データベース４３は、第１区画２０ａにおける受電電力量の推定値を、年月日及び時刻に対応付けて記憶する。データベース４３は、第２区画２１ａごとの受電電力量の推定値を、年月日及び時刻に対応付けて記憶する。データベース４３は、第１区画２０ａにおけるガス購入量の推定値を、年月日及び時刻に対応付けて記憶する。データベース４３は、第２区画２１ａごとのガス購入量の推定値を、年月日及び時刻に対応付けて記憶する。
【００６０】
図２では、電力量の推定値は、第１区画蓄電装置２０１及び第２制御装置２１３が独立制御動作モードで動作したと仮定した場合における、電力量の推定値である。電力量の推定値は、電力量の実績値と年月日及び時刻とに基づくシミュレーションを区画電力量推定部４１が実行することにより、シミュレーションの結果に基づいて区画電力量推定部４１によって推定される。
【００６１】
図３は、光熱費の推定値の例を示す図である。図３では、電力量の推定値は、第１区画蓄電装置２０１及び第２制御装置２１３が独立制御動作モードで動作したと仮定された場合における、光熱費の推定値である。
【００６２】
データベース４３は、第１区画２０ａにおける光熱費の推定値を、日付に対応付けて記憶する。データベース４３は、第２区画２１ａにおける光熱費の推定値を、日付に対応付けて記憶する。データベース４３は、建物２ａの全体における光熱費の推定値を、日付に対応付けて記憶する。
【００６３】
データベース４３は、第１区画２０ａにおける光熱費の推定値の１カ月分の合計値を記憶する。データベース４３は、第２区画２１ａにおける光熱費の推定値の１カ月分の合計値を記憶する。データベース４３は、建物２ａの全体における光熱費の推定値の１カ月分の合計値を記憶する。
【００６４】
第１区画２０ａにおける光熱費の推定値は、第１区画２０ａにおける電力量の推定値に基づいて、光熱費決定部４４によって決定される。第２区画２１ａにおける光熱費の推定値は、第２区画２１ａにおける電力量の推定値に基づいて、光熱費決定部４４によって決定される。建物２ａの全体における光熱費の推定値は、建物２ａの全体における電力量の推定値に基づいて、光熱費決定部４４によって決定される。
【００６５】
図４は、光熱費の実績値の例を示す図である。データベース４３は、光熱費の実績値を日付ごとに記憶する。例えば、データベース４３は、第１区画２０ａにおける光熱費の実績値と、第２区画２１ａにおける光熱費の実績値と、建物２ａの全体における実績値とを、日付に対応付けて記憶する。
【００６６】
第１区画２０ａにおける光熱費の実績値は、第１区画２０ａにおける電力量の実績値に基づいて、光熱費決定部４４によって決定される。第２区画２１ａにおける光熱費の実績値は、第２区画２１ａにおける電力量の実績値に基づいて、光熱費決定部４４によって決定される。建物２ａの全体における光熱費の実績値は、建物２ａの全体における電力量の実績値に基づいて、光熱費決定部４４によって決定される。
【００６７】
データベース４３は、第１区画２０ａにおける光熱費の実績値の１カ月分の合計値を記憶してもよい。データベース４３は、第２区画２１ａにおける光熱費の実績値の１カ月分の合計値を記憶してもよい。データベース４３は、建物２ａの全体における光熱費の実績値の１カ月分の合計値を記憶してもよい。
【００６８】
図４では、建物２ａの全体が発電計画を実行することによって得た光熱費の差額は、１カ月分の光熱費の推定値（８４９００）から１カ月分の光熱費の実績値（６４５００）を減算した結果である正値の差額（２０４００）と等しい。なお、図４では、建物２ａの全体における光熱費の差額（２０４００）と登録される代わりに、第１区画２０ａにおける光熱費の実績値（２１１００＝６２５０１−４１４０１）が登録されていてもよい。
【００６９】
データベース４３は、建物２ａの全体について、１カ月分の光熱費の推定値から１カ月分の光熱費の実績値を減算した結果である差額を記憶する。データベース４３は、第１区画２０ａについて、１カ月分の光熱費の推定値から１カ月分の光熱費の実績値を減算した結果である差額を記憶する。
【００７０】
データベース４３は、第２区画２１ａについて、１カ月分の光熱費の推定値から１カ月分の光熱費の実績値を減算した結果である差額（損失額）を記憶する。図４では、例えば、第２区画２１ａ−１について、１カ月分の光熱費の推定値（７３６７）から１カ月分の光熱費の実績値（７８６７）を減算した結果である差額は、負値（−５００）である。図４に示す光熱費の差額（削減額）が負値（損失額）であることは、建物２ａの全体が発電計画を実行することによって光熱費の差額（２０４００）を得ることに、第２制御装置２１３−１が発電計画の一部を実行することによって貢献したことを示す。すなわち、図４に示す光熱費の差額が負値（損失額）であることは、第１区画２０ａの光熱費の差額（２１１００）を発生させることに、第２制御装置２１３−１が発電計画の一部を実行することによって貢献したことを示す。例えば、第２区画２１ａ−１の第２区画発電装置２１２−１から内部電力線２２に電力を逆潮流させるために、第２区画２１ａ−１におけるガス購入量等が増加した場合、第２区画２１ａ−１における光熱費の実績値が、第２区画２１ａ−１における光熱費の推定値よりも多くなる。
【００７１】
図１に示す光熱費決定部４４は、建物２ａにおける光熱費を決定する装置である。光熱費決定部４４は、第１区画２０ａにおける受電電力量の推定値を、データベース４３から取得する。光熱費決定部４４は、第１区画２０ａにおける受電電力量の推定値と、建物２ａの管理者が契約している電気料金単価とに基づいて、第１区画２０ａにおける光熱費の推定値を日付ごとに決定する。
【００７２】
光熱費決定部４４は、第２区画２１ａにおける受電電力量の推定値を、データベース４３から取得する。光熱費決定部４４は、第２区画２１ａにおける受電電力量の推定値と、建物２ａの管理者が契約している電気料金単価とに基づいて、第２区画２１ａにおける光熱費の推定値を日付ごとに決定する。
【００７３】
光熱費決定部４４は、建物２ａの全体における受電電力量の推定値を、データベース４３から取得する。光熱費決定部４４は、建物２ａの全体における受電電力量の推定値と、建物２ａの管理者が契約している電気料金単価とに基づいて、建物２ａの全体における光熱費の推定値を日付ごとに決定する。
【００７４】
光熱費決定部４４は、第１区画２０ａにおける光熱費の推定値と、第２区画２１ａにおける光熱費の推定値と、建物２ａの全体における光熱費の推定値とを、日付ごとにデータベース４３に記憶させる。光熱費決定部４４は、第１区画２０ａにおける光熱費の推定値の合計値（４１４０１）を、データベース４３に記憶させてもよい。合計値は、例えば、１カ月分の合計値である。光熱費決定部４４は、第１区画２０ａにおける光熱費の推定値の合計値の差額（２１１００）を、データベース４３に記憶させてもよい。光熱費決定部４４は、第２区画２１ａにおける光熱費の推定値の合計値を、データベース４３に記憶させてもよい。光熱費決定部４４は、建物２ａの全体における光熱費の推定値の１カ月分の合計値を、データベース４３に記憶させてもよい。
【００７５】
光熱費決定部４４は、建物２ａの全体における受電電力量の実績値を、データベース４３から取得する。光熱費決定部４４は、建物２ａの全体における受電電力量の実績値と、建物２ａの管理者が契約している電気料金単価とに基づいて、建物２ａの全体における光熱費の実績値を日付ごとに決定する。
【００７６】
光熱費決定部４４は、第１区画２０ａにおける光熱費の実績値と、第２区画２１ａにおける光熱費の実績値と、建物２ａの全体における光熱費の実績値とを、日付ごとにデータベース４３に記憶させる。光熱費決定部４４は、第１区画２０ａにおける光熱費の実績値の合計値を、データベース４３に記憶させてもよい。光熱費決定部４４は、第２区画２１ａにおける光熱費の実績値の合計値を、データベース４３に記憶させてもよい。光熱費決定部４４は、建物２ａの全体における光熱費の実績値の合計値を、データベース４３に記憶させてもよい。
【００７７】
光熱費決定部４４は、建物２ａの全体における光熱費の差額（全体差額）を決定する。建物２ａの全体における光熱費の差額は、光熱費の推定値の１か月分の合計値と光熱費の実績値の１か月分の合計値との差額であり、式（１）によって表される。
【００７８】
建物２ａの全体における光熱費の差額
＝建物２ａの全体における光熱費の推定値の合計値−建物２ａの全体における光熱費の実績値の合計値  …（１）
【００７９】
光熱費決定部４４は、第１区画２０ａにおける光熱費の差額（第１の区画差額）を決定してもよい。例えば、光熱費決定部４４は、第１区画２０ａにおける、光熱費の推定値の合計値から光熱費の実績値の合計値を減算した結果を、第１区画２０ａにおける光熱費の差額と決定する。第１区画２０ａにおける光熱費の差額は、光熱費の推定値の１か月分の合計値と光熱費の実績値の１か月分の合計値との差額であり、式（２）によって表される。
【００８０】
第１区画２０ａにおける光熱費の差額
＝第１区画２０ａにおける光熱費の推定値の合計値−第１区画２０ａにおける光熱費の実績値の合計値  …（２）
【００８１】
光熱費決定部４４は、第２区画２１ａにおける光熱費の差額（第２の区画差額）を決定する。例えば、光熱費決定部４４は、第２区画２１ａにおける、光熱費の推定値の合計値から光熱費の実績値の合計値を減算した結果を、第２区画２１ａにおける光熱費の差額と決定する。第２区画２１ａにおける光熱費の差額は、光熱費の推定値の１か月分の合計値と光熱費の実績値の１か月分の合計値との差額であり、式（３）によって表される。
【００８２】
第２区画２１ａにおける光熱費の差額
＝第２区画２１ａにおける光熱費の推定値の合計値−第２区画２１ａにおける光熱費の実績値の合計値  …（３）
【００８３】
第２区画２１ａにおける光熱費の差額が負値（損失額）であることは、発電計画を実行することによって建物２ａの全体が光熱費の差額（正値）を得ることに、第２区画２１ａの第２制御装置２１３−１が発電計画の一部を実行することによって貢献したことを示す。
【００８４】
配分率決定部４５は、第２区画２１ａにおける光熱費の差額に基づいて、建物２ａの全体における光熱費の差額を配分するための配分率を第２区画２１ａごとに決定する。配分率決定部４５は、第２区画２１ａにおける光熱費の差額が負値である場合、第２区画２１ａにおける光熱費の差額が負値にならないように、建物２ａの全体における光熱費の差額の配分率を第２区画２１ａごとに決定する。
【００８５】
配分率決定部４５は、第２区画２１ａにおける光熱費の差額に基づいて、第１区画２０ａにおける光熱費の差額を配分するための配分率を第２区画２１ａごとに決定してもよい。配分率決定部４５は、第２区画２１ａにおける光熱費の差額が負値である場合、第２区画２１ａにおける光熱費の差額が負値にならないように、第１区画２０ａにおける光熱費の差額の配分率を第２区画２１ａごとに決定してもよい。
【００８６】
配分率決定部４５は、第１区画２０ａに逆潮流した電力量と、第１区画２０ａに逆潮流した時刻の電気料金単価とを乗算した結果に基づいて、第２区画２１ａにおける光熱費の差額が正値（利益）となるように光熱費の差額の配分率を第２区画２１ａごとに決定してもよい。
【００８７】
なお、配分率決定部４５は、第２区画２１ａが第２区画電力計測器２１４を備えていないために、建物２ａの管理者が管理者の口座から建物２ａの全体の電気料金を一括支払いする場合には、第２区画２１ａにおける光熱費の推定値（シミュレーションの結果）に応じて、光熱費の差額の配分率を第２区画２１ａごとに決定してもよい。
【００８８】
配分部４６は、金融機関に開設されている第２区画２１ａの口座番号情報を、第２区画２１ａごとに記憶する。配分部４６は、第２区画２１ａごとの光熱費の差額の配分率を、配分率決定部４５から取得する。配分部４６は、第２区画２１ａごとの光熱費の差額の配分率に基づいて、第２区画２１ａごとの振込額（金額）を決定する。配分部４６は、第２区画２１ａごとの振込額情報と、第２区画２１ａの口座番号情報とを、情報処理装置５に送信する。
【００８９】
図４に示す例では、例えば、配分部４６は、建物２ａの全体における差額（２０４００）のうち５００を、第２区画２１ａ−１の口座に振り込むことを決定する。第２区画２１ａ−１の口座に５００を振り込むことによって、第２区画２１ａ−１における光熱費の損失額は、０（＝５００−５００）となる。図４に示す例では、例えば、配分部４６は、建物２ａの全体における差額（２０４００）のうち５００以上の振込額を、第２区画２１ａ−１の口座に振り込むことを決定してもよい。第２区画２１ａ−１の管理者は、配分部４６が第２区画２１ａ−１の口座に５００以上の振込額を振り込むことによって、利益を得ることができる。
【００９０】
図４に示す例では、例えば、配分部４６は、建物２ａの全体における差額（２０４００）のうち２００を、第２区画２１ａ−２の口座に振り込むことを決定する。第２区画２１ａ−２の口座に５００を振り込むことによって、第２区画２１ａ−１における光熱費の損失額は、０（＝２００−２００）となる。図４に示す例では、例えば、配分部４６は、建物２ａの全体における差額（２０４００）のうち２００以上の振込額を、第２区画２１ａ−２の口座に振り込むことを決定してもよい。第２区画２１ａ−２の管理者は、配分部４６が第２区画２１ａ−２の口座に２００以上の振込額を振り込むことによって、利益を得ることができる。
【００９１】
情報処理装置５は、サーバ装置等の情報処理装置である。情報処理装置５は、例えば、金融機関によって管理される。情報処理装置５は、第２区画２１ａの口座情報を記憶している。情報処理装置５は、第２区画２１ａごとの振込額情報と、第２区画２１ａの口座番号情報とを、配分部４６から取得する。情報処理装置５は、第２区画２１ａの口座に振込額情報（金額情報）を記憶させる。
【００９２】
図５は、第２区画２１ａにおける電力量の推定値を定める動作（第２区画用シミュレーション）の例を示すフローチャートである。区画電力量推定部４１は、日付を示す変数ｄを１に初期化する（ステップＳ１０１）。区画電力量推定部４１は、日付を示す変数ｄが１カ月の日数以下であるか否かを判定する（ステップＳ１０２）。区画電力量推定部４１は、第２区画２１ａの一つを選択する（ステップＳ１０３）。
【００９３】
区画電力量推定部４１は、全ての第２区画２１ａについて推定値が定まっているか否かを判定する（ステップＳ１０４）。全ての第２区画２１ａについて推定値が定まっている場合（ステップＳ１０４：ＹＥＳ）、区画電力量推定部４１は、日付を示す変数ｄに１を加算する（ステップＳ１０５）。推定値が定まっていない第２区画２１ａが残っている場合（ステップＳ１０４：ＮＯ）、区画電力量推定部４１は、選択した第２区画２１ａについて、第２区画電力負荷２１１の電力負荷量の実績値と、第２区画給湯負荷の給湯負荷量の実績値とを、データベース４３から取得する（ステップＳ１０６）。
【００９４】
区画電力量推定部４１は、選択した第２区画２１ａについて、第２区画２１ａにおいて独立制御された第２区画発電装置２１２の動作を模擬（シミュレーション）する。区画電力量推定部４１は、模擬の結果に基づいて、第２区画２１ａにおける受電電力量と、第２区画２１ａにおけるガス購入量と、第２区画２１ａにおける貯湯残量とを推定する（ステップＳ１０７）。
【００９５】
区画電力量推定部４１は、選択した第２区画２１ａについて、第２区画２１ａにおける受電電力量の推定値と、第２区画２１ａにおけるガス購入量の推定値と、第２区画２１ａにおける貯湯残量の推定値とを、データベース４３に記憶させる（ステップＳ１０８）。区画電力量推定部４１は、残りの第２区画２１ａの一つを選択する（ステップＳ１０９）。区画電力量推定部４１は、ステップＳ１０４に処理を戻す。
【００９６】
図６は、建物２ａの全体における電力量の推定値を定める動作（建物２ａ全体用シミュレーション）の例を示すフローチャートである。全体電力量推定部４２は、日付を示す変数ｄを１に初期化する（ステップＳ２０１）。全体電力量推定部４２は、日付を示す変数ｄが１カ月の日数以下であるか否かを判定する（ステップＳ２０２）。日付を示す変数ｄが１カ月の日数を超えている場合（ステップＳ２０２：ＮＯ）、全体電力量推定部４２は、処理を終了する。
【００９７】
日付を示す変数ｄが１カ月の日数以下である場合（ステップＳ２０２：ＹＥＳ）、全体電力量推定部４２は、第１区画電力負荷２００の電力負荷量の実績値と、各第２区画２１ａにおける受電電力量の推定値とを、データベース４３から取得する（ステップＳ２０３）。全体電力量推定部４２は、第１区画２０ａにおいて独立制御を実行した第１区画蓄電装置２０１の動作を模擬（シミュレーション）する。全体電力量推定部４２は、模擬の結果に基づいて、建物２ａの全体における受電電力量を推定する。全体電力量推定部４２は、建物２ａの全体における受電電力量を、データベース４３に記憶させる（ステップＳ２０５）。全体電力量推定部４２は、ステップＳ２０２に処理を戻す。
【００９８】
図７は、配分率を決定する動作の例を示すフローチャートである。光熱費決定部４４は、建物２ａの全体における受電電力量の推定値を、データベース４３から取得する（ステップＳ３０１）。光熱費決定部４４は、建物２ａの全体における光熱費の推定値を決定し、データベース４３に記憶させる（ステップＳ３０２）。光熱費決定部４４は、建物２ａの全体における受電電力量の実績値を、データベース４３から取得する（ステップＳ３０３）。
【００９９】
光熱費決定部４４は、建物２ａの全体における光熱費の実績値を決定し、データベース４３に記憶させる（ステップＳ３０４）。光熱費決定部４４は、建物２ａの全体における光熱費の実績値に基づいて、建物２ａの全体における光熱費の差額を決定する（ステップＳ３０５）。
【０１００】
光熱費決定部４４は、第２区画２１ａの一つを選択する（ステップＳ３０６）。光熱費決定部４４は、全ての第２区画２１ａについて差額が決定済であるか否かを判定する（ステップＳ３０７）。差額が決定されていない第２区画２１ａが残っている場合（ステップＳ３０７：ＮＯ）、光熱費決定部４４は、選択した第２区画２１ａについて、第２区画２１ａにおける光熱費の実績値と、第２区画２１ａにおけるガス購入量の実績値とを、データベース４３から取得する（ステップＳ３０８）。
【０１０１】
光熱費決定部４４は、選択した第２区画２１ａについて、第２区画２１ａにおける光熱費の実績値を決定し、データベース４３に記憶させる（ステップＳ３０９）。光熱費決定部４４は、選択した第２区画２１ａについて、第２区画２１ａにおける受電電力量の推定値と、第２区画２１ａにおけるガス購入量の推定値とを、データベース４３から取得する（ステップＳ３１０）。光熱費決定部４４は、選択した第２区画２１ａについて、第２区画２１ａにおける光熱費の推定値を、データベース４３に記憶させる（ステップＳ３１１）。光熱費決定部４４は、選択した第２区画２１ａについて、第２区画２１ａにおける差額を決定する（ステップＳ３１２）。光熱費決定部４４は、残りの第２区画２１ａの一つを選択する（ステップＳ３１３）。
【０１０２】
全ての第２区画２１ａについて差額が決定済である場合（ステップＳ３０７：ＹＥＳ）、配分率決定部４５は、第２区画２１ａにおける光熱費の差額に基づいて、建物２ａの全体における光熱費の差額を配分するための配分率を第２区画２１ａごとに決定する。配分率決定部４５は、第２区画２１ａにおける光熱費の差額に基づいて、第１区画２０ａにおける光熱費の差額を配分するための配分率を第２区画２１ａごとに決定してもよい（ステップＳ３１４）。配分部４６は、配分率に基づく振込額を、第２区画２１ａ−１の口座に第２区画２１ａごとに振り込む（ステップＳ３１５）。
【０１０３】
以上のように、第１の実施形態の差額配分装置４ａは、区画電力量推定部４１と、全体電力量推定部４２と、光熱費決定部４４と、配分率決定部４５とを持つ。区画電力量推定部４１は、建物２ａの区画における電力量の推定値を定める。全体電力量推定部４２は、建物２ａの区画における電力量の推定値に基づいて建物２ａの全体における電力量の推定値を定める。光熱費決定部４４は、建物２ａの区画における電力量の推定値に基づいて建物２ａの区画における光熱費の推定値を決定する。光熱費決定部４４は、建物２ａの全体における電力量の推定値に基づいて建物２ａの全体における光熱費の推定値を決定する。光熱費決定部４４は、建物２ａの区画における光熱費の推定値と建物２ａの区画における光熱費の実績値との差額である区画差額を決定する。光熱費決定部４４は、建物２ａの全体における光熱費の推定値と建物２ａの全体における光熱費の実績値との差額である全体差額を決定する。配分率決定部４５は、区画差額に基づいて、全体差額の少なくとも一部を配分するための配分率を区画ごとに決定する。
【０１０４】
これによって、第１の実施形態の差額配分装置４ａは、建物２ａの区画の光熱費の増減に基づいて、光熱費の差額の配分率を決定することができる。
【０１０５】
第１の実施形態の差額配分装置４ａは、集合住宅全体における光熱費などを最小化する発電計画によって生じた光熱費の差額を、住戸ごとの光熱費の損失額を適切に評価した結果に基づいて、各住戸に公平に配分することができる。第１の実施形態の差額配分装置４ａは、集合住宅全体の光熱費を最小化することができる。集合住宅全体における住戸は、制御への協力に見合った補填又は利益を得ることができる。
【０１０６】
（第２の実施形態）
第２の実施形態では、第１区画２０ｂに第１区画発電装置２０２が備えられる点と、第２区画２１ｂに第２区画蓄電装置２１５が備えられる点とが、第１の実施形態と相違する。第２の実施形態では、第１の実施形態との相違点についてのみ説明する。
【０１０７】
図８は、差額配分システム１ｂの構成の第２例を示す図である。差額配分システム１ｂは、光熱費の差額の配分率（還元率）を決定するシステムである。差額配分システム１ｂは、建物２ｂにおける複数の区画に配分される差額の配分率を、住戸区画等における光熱費の増減に基づいて区画ごとに決定する。差額配分システム１ｂは、第１制御装置３と、差額配分装置４ｂと、情報処理装置５とを備える。
【０１０８】
建物２ｂは、第１区画２０ｂと、複数の第２区画２１ｂと、内部電力線２２と、電力計測器２３とを備える。図８では、建物２ｂは、一例として、第２区画２１ｂ−１〜２１ｂ−３を備える。以下、第２区画２１ｂ−１〜２１ｂ−３に共通する事項については、符号の一部を省略して「第２区画２１ｂ」と表記する。建物２ｂは、更に多くの第２区画２１ａを備えてもよい。建物２ｂは、第１制御装置３を第１区画２０ｂに備えてもよい。建物２ａは、差額配分装置４ｂを第１区画２０ａに備えてもよい。
【０１０９】
第１区画２０ｂは、共用区画である。共用区画は、例えば、建物２ｂにおける共用の玄関、共用の廊下、共用の階段、共用の倉庫である。第１区画２０ｂは、第１区画電力負荷２００と、第１区画発電装置２０２とを備える。
【０１１０】
第１区画発電装置２０２は、発電した電力を、第１区画電力負荷２００に供給する。第１区画発電装置２０２は、発電した電力を、内部電力線２２に逆潮流させてもよい。内部電力線２２に逆潮流した電力は、第２区画２１ｂに供給されてもよい。
【０１１１】
第１区画発電装置２０２は、太陽光発電装置である場合、太陽光を電気に変換することによって発電する。第１区画発電装置２０２は、燃料電池を有するコージェネレーションシステムである場合、ガス等を燃焼することによって発電する。第１区画発電装置２０２は、コージェネレーションシステムである場合、湯などの熱媒体を第２区画給湯負荷２１０に供給してもよい。
【０１１２】
第１区画発電装置２０２の動作モードには、独立制御動作モードと、従属制御動作モードとがある。第１区画発電装置２０２は、建物２ｂの全体に対して定められた発電計画を第１区画発電装置２０２が実行しない場合、独立制御動作モードで動作する。第１区画発電装置２０２は、独立制御動作モードで動作する場合、第１区画発電装置２０２による制御（独立制御）に基づいて動作する。第１区画発電装置２０２は、独立制御動作モードで動作する場合、内部電力線２２に電力を逆潮流させること（内部逆潮流）を禁止する。
【０１１３】
第１区画発電装置２０２は、独立制御動作モードで動作する場合、第１区画２０ｂにおける第１区画電力負荷２００の消費電力量（電力負荷量）に応じて発電する。例えば、第１区画発電装置２０２は、第１区画発電装置２０２の定格出力以下で、第１区画発電装置２０２の発電電力が第１区画電力負荷２００の消費電力に追従するように発電する。
【０１１４】
第１区画発電装置２０２は、建物２ｂの全体に対して定められた発電計画の少なくとも一部を第１区画発電装置２０２が実行する場合には、従属制御動作モードで動作する。第１区画発電装置２０２は、従属制御動作モードで動作する場合、第１制御装置３から受信した制御信号に基づく第１区画発電装置２０２による制御（従属制御）に応じて動作する。第１区画発電装置２０２は、従属制御動作モードで動作する場合、内部電力線２２に電力を逆潮流させること（内部逆潮流）を許可する。
【０１１５】
第１区画発電装置２０２は、従属制御動作モードで動作する場合、第１区画電力負荷２００の消費電力に関係なく定格出力で発電してもよい。第１区画２０ｂにおいて、第１区画発電装置２０２の発電電力から第１区画電力負荷２００の消費電力を減算した残りである余剰電力は、第１区画発電装置２０２から内部電力線２２に逆潮流する。
【０１１６】
第２区画２１ｂは、占用区画である。第２区画２１ｂは、建物２ｂが集合住宅である場合、例えば、住戸区画である。第２区画２１ｂは、建物２ｂがオフィスビルである場合、例えば、執務室である。第２区画２１ｂは、建物２ｂが商用ビルである場合、例えば、商用区画（店舗）である。第２区画２１ｂは、建物２ｂが工場の建屋である場合、例えば、機械室である。第２区画２１ｂは、第２区画給湯負荷２１０と、第２区画電力負荷２１１と、第２制御装置２１３と、第２区画電力計測器２１４と、第２区画蓄電装置２１５とを備える。
【０１１７】
第２制御装置２１３は、独立制御動作モードで動作する場合、第２制御装置２１３による制御（独立制御）によって、第２区画蓄電装置２１５を動作させる。第２制御装置２１３は、従属制御動作モードで動作する場合、第１制御装置３による制御（従属制御）に基づいて、第２区画蓄電装置２１５を動作させる。
【０１１８】
第２制御装置２１３は、第２区画蓄電装置２１５の蓄電量（SOC: State Of Charge）を示す情報を、第２区画蓄電装置２１５から取得する。第２制御装置２１３は、第２区画蓄電装置２１５の蓄電量の実績値を示す情報を、差額配分装置４ａに送信する。
【０１１９】
第２区画蓄電装置２１５は、内部電力線２２を介して受電した電力を蓄電する。第２区画蓄電装置２１５は、放電した電力を、第２区画電力負荷２１１に供給する。第２区画発電装置２１２は、放電した電力を、内部電力線２２に逆潮流させてもよい。内部電力線２２に逆潮流した電力は、第１区画２０ｂの第１区画電力負荷２００に供給される。内部電力線２２に逆潮流した電力は、他の第２区画２１ｂに供給されてもよい。
【０１２０】
差額配分装置４ｂは、第１の実施形態における差額配分装置４ａに対応する。すなわち、サーバ装置等の情報処理装置である。差額配分装置４ｂは、第１区画発電装置２０２及び第２制御装置２１３と通信する。差額配分装置４ｂは、第１区画発電装置２０２及び第２制御装置２１３が実行した発電計画によって建物２ｂの全体が得た光熱費の差額の配分率を、第２区画２１ｂごとに定める。差額配分装置４ｂは、第１区画発電装置２０２及び第２制御装置２１３が実行した発電計画によって第１区画２０ｂにおける光熱費の差額の配分率を、第２区画２１ｂごとに定めてもよい。差額配分装置４ｂは、第１区画発電装置２０２及び第２制御装置２１３から取得した情報に基づいて、光熱費の差額の配分率を第２区画２１ｂごとに定める。差額配分装置４ｂは、光熱費の差額の配分率に基づいて、第２区画２１ｂごとに対応付けられた口座に金銭等を振り込む。
【０１２１】
収集部４０は、第１区画発電装置２０２の発電電力量の実績値を、第１区画発電装置２０２から取得する。収集部４０は、第１区画電力負荷２００の電力負荷量の実績値を、第１区画発電装置２０２から取得してもよい。
【０１２２】
収集部４０は、第１区画発電装置２０２の発電電力量の実績値を、データベース４３に記憶させる。収集部４０は、第１区画電力負荷２００の電力負荷量の実績値を、データベース４３に記憶させてもよい。
【０１２３】
全体電力量推定部４２は、第１区画２０ｂにおける受電電力量の実績値を、データベース４３から取得する。例えば、全体電力量推定部４２は、第１区画２０ｂにおける受電電力量の実績値を、時刻ごとに取得する。全体電力量推定部４２は、第１区画２０ｂにおける発電電力量の実績値を、データベース４３から取得してもよい。
【０１２４】
全体電力量推定部４２は、第１区画発電装置２０２が仮に独立制御動作モードで動作した場合について、第１区画電力負荷２００及び第１区画発電装置２０２の動作を模擬（シミュレーション）する。例えば、全体電力量推定部４２は、第１区画２０ａにおける受電電力量の実績値に基づいて、第１区画電力負荷２００及び第１区画発電装置２０２の動作を模擬する。
【０１２５】
全体電力量推定部４２は、第１区画電力負荷２００及び第１区画発電装置２０２の動作を模擬した結果に基づいて、第１区画２０ｂにおける受電電力量の推定値を決定する。全体電力量推定部４２は、模擬の結果に基づいて、第１区画２０ｂにおける発電電力量及び消費電力量を推定する。全体電力量推定部４２は、第１区画発電装置２０２が仮に独立制御動作モードで動作した場合について、第１区画２０ｂにおける受電電力量の推定値を、データベース４３に記憶させる。
【０１２６】
全体電力量推定部４２は、第１区画２０ｂにおける受電電力量の推定値を、時刻ごとにデータベース４３から取得する。全体電力量推定部４２は、第２区画２１ｂにおける受電電力量の推定値と、第２区画２１ｂにおけるガス購入量の推定値とを、第２区画２１ｂごとにデータベース４３から取得する。全体電力量推定部４２は、第２区画２１ｂにおける受電電力量の推定値と、第２区画２１ｂにおけるガス購入量の推定値とを、時刻ごとにデータベース４３から取得する。
【０１２７】
全体電力量推定部４２は、第１区画発電装置２０２及び第２制御装置２１３が仮に独立制御動作モードで動作した場合について、第１区画電力負荷２００と第１区画発電装置２０２と第２区画給湯負荷２１０と第２区画電力負荷２１１と第２区画発電装置２１２との動作を模擬（シミュレーション）する。例えば、全体電力量推定部４２は、第２区画２１ｂにおける受電電力量の推定値と、第２区画２１ｂにおけるガス購入量の推定値とに基づいて、第１区画電力負荷２００と第１区画発電装置２０２と第２区画給湯負荷２１０と第２区画電力負荷２１１と第２区画発電装置２１２との動作を模擬する。
【０１２８】
全体電力量推定部４２は、第１区画電力負荷２００と第１区画発電装置２０２と第２区画給湯負荷２１０と第２区画電力負荷２１１と第２区画発電装置２１２との動作を模擬した結果に基づいて、建物２ｂの全体における受電電力量の推定値を決定する。全体電力量推定部４２は、第１区画発電装置２０２及び第２制御装置２１３が仮に独立制御動作モードで動作した場合について、建物２ｂの全体における受電電力量の推定値を、データベース４３に記憶させる。
【０１２９】
以上のように、第２の実施形態の第２区画蓄電装置２１５は、内部電力線２２を介して受電した電力を蓄電及び放電する。これによって、第２の実施形態の第２区画蓄電装置２１５は、第１区画発電装置２０２による余剰電力を蓄電することができる。
【０１３０】
第２の実施形態の第２区画蓄電装置２１５は、集合住宅全体の受電電力量のピークをカットすることができる。第２の実施形態の第２区画蓄電装置２１５は、第２区画蓄電装置２１５から第１区画電力負荷２００に電力を逆潮流させることができる。
【０１３１】
（第３の実施形態）
第３の実施形態では、第２区画２１ｃに第２区画蓄電装置２１５が備えられる点が、第１の実施形態と相違する。第３の実施形態では、第１の実施形態との相違点についてのみ説明する。
【０１３２】
図９は、差額配分システム１ｃの構成の第３例を示す図である。差額配分システム１ｃは、光熱費の差額の配分率（還元率）を決定するシステムである。差額配分システム１ｃは、建物２ｃにおける複数の区画に配分される差額の配分率を、住戸区画等における光熱費の増減に基づいて区画ごとに決定する。差額配分システム１ｃは、第１制御装置３と、差額配分装置４ｃと、情報処理装置５とを備える。
【０１３３】
第２区画２１ｃは、占用区画である。第２区画２１ｃは、建物２ｃが集合住宅である場合、例えば、住戸区画である。第２区画２１ｃは、建物２ｃがオフィスビルである場合、例えば、執務室である。第２区画２１ｃは、建物２ｃが商用ビルである場合、例えば、商用区画（店舗）である。第２区画２１ｃは、建物２ｃが工場の建屋である場合、例えば、機械室である。第２区画２１ｃは、第２区画給湯負荷２１０と、第２区画電力負荷２１１と、第２区画発電装置２１２と、第２制御装置２１３と、第２区画電力計測器２１４と、第２区画蓄電装置２１５とを備える。
【０１３４】
第２区画蓄電装置２１５は、放電した電力を、第２区画電力負荷２１１に供給する。第２区画発電装置２１２は、放電した電力を、内部電力線２２に逆潮流させてもよい。内部電力線２２に逆潮流した電力は、第１区画２０ｃの第１区画電力負荷２００に供給される。内部電力線２２に逆潮流した電力は、他の第２区画２１ｃに供給されてもよい。
【０１３５】
収集部４０は、第２区画発電装置２１２の発電電力量を示す情報と、第２区画蓄電装置２１５の蓄電量の実績値を示す情報とを、第２制御装置２１３から取得する。収集部４０は、第２区画電力負荷２１１の消費電力量（電力負荷量）を示す情報を、第２制御装置２１３から取得する。収集部４０は、貯湯残量を示す情報を、第２制御装置２１３から取得する。収集部４０は、第２区画給湯負荷２１０の給湯負荷量を示す情報を、第２制御装置２１３から取得してもよい。
【０１３６】
収集部４０は、第２区画発電装置２１２の発電電力量を示す情報と、第２区画蓄電装置２１５の蓄電量の実績値を示す情報と、第２区画電力負荷２１１の消費電力量（電力負荷量）を示す情報と、貯湯残量を示す情報とを、データベース４３に記憶させる。収集部４０は、第２区画給湯負荷２１０の給湯負荷量を示す情報を、データベース４３に記憶させてもよい。
【０１３７】
以上のように、第３の実施形態の第２区画蓄電装置２１５は、内部電力線２２を介して受電した電力を蓄電及び放電する。第３の実施形態の第２区画発電装置２１２は、発電電力を第１区画電力負荷２００に逆潮流させる。これによって、第３の実施形態の第２区画蓄電装置２１５は、集合住宅全体の受電電力量のピークをカットすることができる。第３の実施形態の第２区画蓄電装置２１５は、第２区画蓄電装置２１５から第１区画電力負荷２００に、電力を逆潮流させることができる。
【０１３８】
（第４の実施形態）
第４の実施形態では、差額配分装置４ｄがクラウドコンピューティング技術に基づいて動作する点が、第１の実施形態と相違する。第４の実施形態では、第１の実施形態との相違点についてのみ説明する。
【０１３９】
図１０は、差額配分システム１ｄの構成の第４例を示す図である。差額配分システム１ｄは、光熱費の差額の配分率（還元率）を決定するシステムである差額配分システム１ｄは、建物２ｄにおける複数の区画に配分される差額の配分率を、住戸区画等における光熱費の増減に基づいて区画ごとに決定する。差額配分システム１ｄは、第１制御装置３と、差額配分装置４ｄと、情報処理装置５と、通信装置７とを備える。
【０１４０】
差額配分装置４ｄは、クラウドコンピュータ装置である。差額配分装置４ｄは、通信回線８を介して、通信装置７と通信する。通信回線８は、例えば、インターネットである。差額配分装置４ｄは、通信装置７を介して、建物２ｄに備えられた各装置と通信する。例えば、差額配分装置４ｄは、第１区画電力負荷２００と、第１区画蓄電装置２０１と、第２制御装置２１３と、電力計測器２３と通信する。
【０１４１】
以上のように、第４の実施形態の差額配分装置ｄは、クラウドコンピュータ装置である。これによって、第４の実施形態の差額配分装置ｄは、クラウドコンピュータ装置として動作することができる。第４の実施形態の差額配分装置ｄは、配置場所が限定されない。
【０１４２】
（第５の実施形態）
第５の実施形態では、差額配分装置４ｅが第１制御装置３を備える点が、第１の実施形態と相違する。第５の実施形態では、第１の実施形態との相違点についてのみ説明する。
【０１４３】
図１１は、差額配分システム１ｅの構成の第５例を示す図である。差額配分システム１ｅは、光熱費の差額（削減額）の配分率（還元率）を決定するシステムである。差額配分システム１ｅは、建物２ｅにおける複数の区画に配分される差額の配分率を、住戸区画等における光熱費の増減に基づいて区画ごとに決定する。差額配分システム１ｅは、差額配分装置４ｃと、情報処理装置５とを備える。
【０１４４】
差額配分装置４ｅは、第１の実施形態における差額配分装置４ａに対応する。すなわち、サーバ装置等の情報処理装置である。差額配分装置４ｅは、収集部４０と、区画電力量推定部４１と、全体電力量推定部４２と、データベース４３と、光熱費決定部４４と、配分率決定部４５と、配分部４６と、第１制御装置３とを備える。
【０１４５】
以上のように、第５の実施形態の差額配分装置４ａは、第１制御装置３と連携して、第１区画蓄電装置２０１及び第２制御装置２１３を制御する。
【０１４６】
これによって、第５の実施形態の差額配分装置４ａは、建物の区画の光熱費の増減に基づいて差額（削減額）を増やすことができる。
【０１４７】
以上説明した少なくともひとつの実施形態によれば、建物の区画における光熱費の推定値と建物の区画における光熱費の実績値との差額である区画差額に基づいて、建物の全体における光熱費の推定値と建物の全体における光熱費の実績値との差額である全体差額の少なくとも一部を配分するための配分率を区画ごとに決定する配分率決定部を持つことにより、建物の区画の光熱費の増減に基づいて光熱費の差額の配分率を決定することができる。
【０１４８】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１４９】
１ａ…差額配分システム、１ｂ…差額配分システム、１ｃ…差額配分システム、１ｄ…差額配分システム、１ｅ…差額配分システム、２ａ…建物、２ｂ…建物、２ｃ…建物、２ｄ…建物、２ｅ…建物、３…第１制御装置、４ａ…差額配分装置、４ｂ…差額配分装置、４ｃ…差額配分装置、４ｄ…差額配分装置、４ｅ…差額配分装置、５…情報処理装置、６…商用電力系統、７…通信装置、８…通信回線、２０ａ…第１区画、２０ｂ…第１区画、２０ｃ…第１区画、２０ｄ…第１区画、２０ｅ…第１区画、２１ａ…第２区画、２１ｂ…第２区画、２１ｃ…第２区画、２１ｄ…第２区画、２１ｅ…第２区画、２２…内部電力線、２３…電力計測器、４０…収集部、４１…区画電力量推定部、４２…全体電力量推定部、４３…データベース、４４…光熱費決定部、４５…配分率決定部、４６…配分部、２００…第１区画電力負荷、２０１…第１区画蓄電装置、２０２…第１区画発電装置、２１０…第２区画給湯負荷、２１１…第２区画電力負荷、２１２…第２区画発電装置、２１３…第２制御装置、２１４…第２区画電力計測器、２１５…第２区画蓄電装置
【図１】
2017102572.tif 000003
【図２】
2017102572.tif 000004
【図３】
2017102572.tif 000005
【図４】
2017102572.tif 000006
【図５】
2017102572.tif 000007
【図６】
2017102572.tif 000008
【図７】
2017102572.tif 000009
【図８】
2017102572.tif 000010
【図９】
2017102572.tif 000011
【図１０】
2017102572.tif 000012
【図１１】
2017102572.tif 000013